【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
Ｍ（Ｍ＞１）素子のアレーアンテナを有する第１の無線局から第２の無線局に対して情報シンボル系列を伝送するための送信装置であり、
複数のＮ（Ｎは正の整数）次元ベクトルを生成するベクトル制御手段と、
前記情報シンボル系列を含む複数のシンボル系列に対して前記複数のＮ次元ベクトルを乗算して多重化したＮ個のベクトル多重シンボル系列を生成して前記Ｍ素子のアレーアンテナより送信するベクトル多重化手段と
を有し、
前記ベクトル制御手段が、前記第２の無線局において、前記複数のシンボル系列の内、前記情報シンボル系列を含む少なくとも１つのシンボル系列が受信され、他のシンボル系列は打ち消されるように設定した前記複数のＮ次元ベクトルを生成する送信装置。
【請求項２】
前記ベクトル制御手段が、前記第１の無線局と前記第２の無線局との間の伝搬チャネルを特徴付ける伝搬パラメータに基づいて、前記複数のＮ次元ベクトルを生成する請求の範囲第１項に記載の送信装置。
【請求項３】
さらに、前記伝搬パラメータとして伝搬チャネル行列を生成する伝搬チャネル解析手段を有し、
前記ベクトル制御手段は前記伝搬チャネル行列を特異値分解することにより得られる複数のＮ次元ベクトルを生成する請求項２に記載の送信装置。
【請求項４】
さらに、前記伝搬パラメータとして伝搬チャネル行列を生成する伝搬チャネル解析手段を有し、
前記ベクトル制御手段は前記伝搬チャネル行列の相関行列を固有値分解することにより得られる複数のＮ次元ベクトルを生成する請求項２に記載の送信装置。
【請求項５】
さらに、前記第２の無線局も既知の基準シンボルを生成する基準シンボル生成手段と、
前記第２の無線局から送信された伝搬パラメータに関する情報を受信し、前記伝搬パラメータを求める伝搬チャネル情報受信手段と
を有し、
前記伝搬パラメータに関する情報は、前記第２の無線局が当該第１の無線局から送信さ
れた前記基準シンボルから求めた伝搬パラメータから生成されたものである請求項２に記載の送信装置。
【請求項６】
前記複数のシンボル系列の一部またはすべてが互いに異なる変調方式によってシンボルマッピングされている請求項１に記載の送信装置。
【請求項７】
前記複数のシンボル系列の一部またはすべてが互いに異なる符号系列によって符号拡散されている請求項１に記載の送信装置。
【請求項８】
Ｍ素子のアレーアンテナを有する第１の無線局から第２の無線局に対して情報シンボル系列を伝送するための送信方法であり、
前記第１の無線局が、前記第２の無線局において、前記情報シンボル系列を含む複数のシンボル系列の内、前記情報シンボル系列を含む少なくとも１つのシンボル系列が受信され、他の情報シンボル系列は打ち消されるように設定した複数のＮ次元ベクトルを生成するＮ次元ベクトル生成ステップと、
前記情報シンボル系列を含む複数のシンボル系列に対して、前記複数のＮ（Ｎは正の整数）次元ベクトルを乗算し、多重化したＮ個のベクトル多重シンボル系列を生成するステップと、
前記第１の無線局から前記第２の無線局へ、前記ベクトル多重シンボル系列を前記Ｍ素子のアレーアンテナより送信するステップと、
を有する無線通信方法。
【請求項９】
前記第２の無線局からＭ素子のアレーアンテナを有する前記第１の無線局に対して、前記第１の無線局が既知である基準シンボルからなる基準信号を送信するステップと、
前記Ｎ次元ベクトル生成ステップにおいて、前記第１の無線局は受信した前記Ｍ個の基準シンボルから前記第２の無線局と当該第１の無線局との間の伝搬チャネルを特徴付ける伝搬パラメータを算出し、それを用いて前記複数のＮ次元ベクトルを生成する請求の範囲第８項に記載の無線通信方法。
【請求項１０】
Ｍ素子のアレーアンテナを有する第１の無線局から第２の無線局に対して情報シンボル系列を伝送するための送信方法であり、
前記第１の無線局から前記第２の無線局に対して、前記第２の無線局が既知である基準シンボルを含む基準信号を送信するステップと、
前記第２の無線局が、受信した前記基準信号から前記第２の無線局と前記第１の無線局との間の伝搬チャネルを特徴付ける伝搬パラメータを含むチャネル情報シンボル系列を生成するステップと、
前記第２の無線局から前記第１の無線局へ、前記チャネル情報シンボル系列を送信するステップと、
前記第１の無線局が、受信した前記チャネル情報シンボル系列から抽出した前記伝搬パラメータを用いて、第２の無線局において、情報シンボル系列を含む複数のシンボル系列の内、前記情報シンボル系列を含む少なくとも１つのシンボル系列が受信され、他の情報シンボル系列は打ち消されるように設定した複数のＮ（Ｎは正の整数）次元ベクトルを生成するステップと、
前記情報シンボル系列を含む複数のシンボル系列に対して前記複数のＮ次元ベクトルを乗算し多重化したＮ個のベクトル多重シンボル系列を生成するステップと、
前記第１の無線局から前記第２の無線局へ、前記ベクトル多重シンボル系列を前記Ｍ素子のアレーアンテナより送信するステップと、
を有する無線通信方法。
【手続補正２】
【補正対象書類名】明細書
【補正対象項目名】００１２
【補正方法】変更
【補正の内容】
【００１２】
本発明に係る送信装置は、Ｍ（Ｍ＞１）素子のアレーアンテナを有する第１の無線局から第２の無線局に対して情報シンボル系列を伝送するための送信装置であり、複数のＮ（Ｎは正の整数）次元ベクトルを生成するベクトル制御手段と、前記情報シンボル系列を含む複数のシンボル系列に対して前記複数のＮ次元ベクトルを乗算して多重化したＮ個のベクトル多重シンボル系列を生成して前記Ｍ素子のアレーアンテナより送信するベクトル多重化手段とを有し、前記ベクトル制御手段が、前記第２の無線局において、前記複数のシンボル系列の内、前記情報シンボル系列を含む少なくとも１つのシンボル系列が受信され、他のシンボル系列は打ち消されるように設定した前記複数のＮ次元ベクトルを生成することを特徴としたものである。
また、本発明に係る送信装置は、さらに、前記ベクトル制御手段が、前記第１の無線局と前記第２の無線局との間の伝搬チャネルを特徴付ける伝搬パラメータに基づいて、前記複数のＮ次元ベクトルを生成するものである。
【手続補正３】
【補正対象書類名】明細書
【補正対象項目名】００１８
【補正方法】変更
【補正の内容】
【００１８】
また、本発明に係る送信装置は、さらに、前記第２の無線局も既知の基準シンボルを生成する基準シンボル生成手段と、前記第２の無線局から送信された伝搬パラメータに関する情報を受信し、前記伝搬パラメータを求める伝搬チャネル情報受信手段とを有し、前記伝搬パラメータに関する情報は、前記第２の無線局が当該第１の無線局から送信された前記基準シンボルから求めた伝搬パラメータから生成されたものであることを特徴としたものである。
【手続補正４】
【補正対象書類名】明細書
【補正対象項目名】００２４
【補正方法】変更
【補正の内容】
【００２４】
本発明に係る無線通信方法は、Ｍ素子のアレーアンテナを有する第１の無線局から第２の無線局に対して情報シンボル系列を伝送するための送信方法であり、前記第１の無線局が、前記第２の無線局において、前記情報シンボル系列を含む複数のシンボル系列の内、前記情報シンボル系列を含む少なくとも１つのシンボル系列が受信され、他の情報シンボル系列は打ち消されるように設定した複数のＮ次元ベクトルを生成するＮ次元ベクトル生成ステップと、前記情報シンボル系列を含む複数のシンボル系列に対して、前記複数のＮ（Ｎは正の整数）次元ベクトルを乗算し、多重化したＮ個のベクトル多重シンボル系列を生成するステップと、前記第１の無線局から前記第２の無線局へ、前記ベクトル多重シンボル系列を前記Ｍ素子のアレーアンテナより送信するステップと、を有する。
また、本発明に係る無線通信方法は、前記第２の無線局からＭ素子のアレーアンテナを有する前記第１の無線局に対して、前記第１の無線局が既知である基準シンボルからなる基準信号を送信するステップと、前記Ｎ次元ベクトル生成ステップにおいて、前記第１の無線局は受信した前記Ｍ個の基準シンボルから前記第２の無線局と当該第１の無線局との間の伝搬チャネルを特徴付ける伝搬パラメータを算出し、それを用いて前記複数のＮ次元ベクトルを生成するものである。
【手続補正５】
【補正対象書類名】明細書
【補正対象項目名】００２６
【補正方法】変更
【補正の内容】
【００２６】
また、本発明に係る無線通信方法は、Ｍ素子のアレーアンテナを有する第１の無線局から第２の無線局に対して情報シンボル系列を伝送するための送信方法であり、前記第１の無線局から前記第２の無線局に対して、前記第２の無線局が既知である基準シンボルを含む基準信号を送信するステップと、前記第２の無線局が、受信した前記基準信号から第２の無線局と前記第１の無線局との間の伝搬チャネルを特徴付ける伝搬パラメータを含むチャネル情報シンボル系列を生成するステップと、前記第２の無線局から前記第１の無線局へ、前記チャネル情報シンボル系列を送信するステップと、前記第１の無線局が、受信した前記チャネル情報シンボル系列から抽出した前記伝搬パラメータを用いて、第２の無線局において、情報シンボル系列を含む複数のシンボル系列の内、前記情報シンボル系列を含む少なくとも１つのシンボル系列が受信され、他の情報シンボル系列は打ち消されるように設定した複数のＮ（Ｎは正の整数）次元ベクトルを生成するステップと、前記情報シンボル系列を含む複数のシンボル系列に対して前記複数のＮ次元ベクトルを乗算し多重化したＮ個のベクトル多重シンボル系列を生成するステップと、前記第１の無線局から前記第２の無線局へ、前記ベクトル多重シンボル系列を前記Ｍ素子のアレーアンテナより送信するステップとを有する。
【手続補正６】
【補正対象書類名】明細書
【補正対象項目名】００３４
【補正方法】変更
【補正の内容】
【００３４】
本実施の形態の無線通信システム１００では、基地局１０１は、データ系列Ｄ１〜ＤＫを伝搬チャネル１０３に基づいて基地局アレーアンテナ１０５よりベクトル多重化して同時に送信する。いま、このベクトル多重化された送信信号が伝搬チャネル１０３を介して通信端末１０２へ送信したときに、通信端末１０２がデータ系列Ｄ１のベクトル化信号ｘ１を高感度で受信するように制御したとき、非通信端末２００では、データ系列Ｄ１のベクトル化信号ｘ１の他に、データ系列Ｄ２〜ＤＫのベクトル化信号ｘ２〜ｘＫの一部またはすべてが同時に受信されるようになる。これは、伝搬チャネル２０１が伝搬チャネル１０３とはほぼ無相関な特性を示すので、通信端末１０２が予めｘ１を伝搬チャネル１０３に対して相関が高くなるように制御し、一方でベクトル化信号ｘ２〜ｘＫを伝搬チャネル１０３に対して相関が低くなるように制御することにより、ベクトル化信号ｘ１よりもベクトル化信号ｘ２〜ｘＫが伝搬チャネル２０１に対する相関が統計的に高くなるように制御されることになる。したがって、基地局がデータ系列Ｄ１の情報を通信端末１０２へ伝えたいときに、予めデータ系列Ｄ１と異なる情報をデータ系列Ｄ２〜ＤＫに対して与えておけば、非通信端末２００においてはデータ系列Ｄ１のみを受信してその情報を復元することが困難になる。